(57)【要約】【課題】コンテンツ毎にコンテンツに応じた情報の再生を簡易に行う情報再生装置を得ること。【解決手段】コンテンツを受信して再生する視聴装置１において、コンテンツの再生を行う音声再生部１３、映像再生部１４と、コンテンツの分類に関するコンテンツ分類情報を取得する解析部１２と、コンテンツ分類情報に基づいて、コンテンツ毎にコンテンツの音再生および／または映像再生の再生特性パラメータの変更に関する変更設定情報を生成する設定部１８と、変更設定情報に基づいたコンテンツ毎の再生特性パラメータの変更指示が変更指示情報としてユーザによって入力される指示入力部１７と、変更指示情報に基づいて、音声再生部１３、映像再生部１４が再生するコンテンツの音再生および／または映像再生の再生特性パラメータの変更を制御する設定制御部１５と、を備える。【選択図】        図２
2006186920.tif 000002
【特許請求の範囲】
【請求項１】
コンテンツを受信して再生する情報再生装置において、
コンテンツの再生を行う再生部と、
前記コンテンツの分類に関するコンテンツ分類情報を取得する情報取得部と、
前記コンテンツ分類情報に基づいて、コンテンツ毎にコンテンツの音再生および／または映像再生の再生特性パラメータの変更に関する変更設定情報を生成する変更設定情報生成部と、
前記変更設定情報に基づいた前記コンテンツ毎の前記再生特性パラメータの変更指示が変更指示情報としてユーザによって入力される指示情報入力部と、
前記変更指示情報に基づいて、前記再生部が再生するコンテンツの音再生および／または映像再生の再生特性パラメータの変更を制御する制御部と、
を備えることを特徴とする情報再生装置。
【請求項２】
前記指示情報入力部に入力された前記変更指示情報を前記コンテンツ分類情報毎に記憶しておく記憶部をさらに備え、
前記制御部は、前記記憶部が記憶する変更指示情報または前記指示情報入力部に入力された変更指示情報に基づいて前記再生部が再生するコンテンツの再生特性パラメータの変更を制御することを特徴とする請求項１に記載の情報再生装置。
【請求項３】
前記指示入力部には、前記コンテンツを再生させるユーザを識別するユーザ識別情報が入力され、
前記制御部は、前記ユーザ毎のユーザ識別情報および前記変更指示情報に基づいて、前記再生部が再生するコンテンツの再生特性パラメータの変更を制御することを特徴とする請求項１または２に記載の情報再生装置。
【請求項４】
前記コンテンツの音再生の再生特性パラメータは複数の音の種類を有するとともに、前記変更指示情報は前記複数の音の種類毎の変更指示を含み、
前記制御部は、前記変更指示情報に基づいて前記音を音の種類毎に分離し前記音の種類毎に音の音圧レベルの変更を制御することを特徴とする請求項１〜３のいずれか１つに記載の情報再生装置。
【請求項５】
前記コンテンツの音再生の再生特性パラメータは音の複数の周波数帯域を有するとともに、前記変更指示情報は前記周波数帯域毎の変更指示を含み、
前記制御部は、前記変更指示情報に基づいて前記周波数帯域毎の音圧レベルの変更を制御することを特徴とする請求項１〜４のいずれか１つに記載の情報再生装置。
【請求項６】
前記コンテンツの映像再生の再生特性パラメータは、映像のコントラストまたは映像の色に関する要素の少なくとも１つを有するとともに、前記変更指示情報は前記映像のコントラストまたは映像の所定の色に関する要素の少なくとも１つの変更指示を含み、
前記制御部は、前記変更指示情報に基づいて前記映像のコントラストおよび／または前記映像の所定の色の出力レベルの変更を制御することを特徴とする請求項１〜５のいずれか１つに記載の情報再生装置。
【請求項７】
前記コンテンツ分類情報は、前記コンテンツのジャンルに関する情報を含むことを特徴とする請求項１〜６のいずれか１つに記載の情報再生装置。
【請求項８】
前記コンテンツはテレビ番組であって、前記コンテンツ分類情報は前記テレビ番組の番組表データを含む電子番組ガイドであることを特徴とする請求項１〜７のいずれか１つに記載の情報再生装置。
【請求項９】
前記再生部が前記コンテンツの再生を開始する際、前記再生部が再生する前記コンテンツの再生特性パラメータとは異なる再生特性パラメータを選択する設定変更指示情報が前記ユーザによって前記指示情報入力部に入力されると、
前記変更設定部は、前記再生部が再生するコンテンツの再生特性パラメータが前記ユーザによって選択されて前記変更指示情報が前記指示情報入力部に入力されるまで前記変更設定情報に基づいて前記再生部が再生するコンテンツの前記再生特性パラメータを順番に変更していくことを特徴とする請求項１〜８のいずれか１つに記載の情報再生装置。
【請求項１０】
コンテンツを受信して再生する情報再生方法において、
前記コンテンツの分類に関するコンテンツ分類情報を取得する情報取得ステップと、
前記コンテンツ分類情報に基づいて、コンテンツ毎にコンテンツの音再生および／または映像再生の再生特性パラメータの変更に関する変更設定情報を生成する変更設定情報生成ステップと、
前記変更設定情報に基づいた前記コンテンツ毎の前記再生特性パラメータの変更指示を変更指示情報としてユーザが入力する指示情報入力ステップと、
前記変更指示情報に基づいて、前記コンテンツの音再生および／または映像再生の再生特性パラメータを変更して再生する再生ステップと、
を含むことを特徴とする情報再生方法。
【発明の詳細な説明】
【技術分野】
【０００１】
本発明は、情報を再生する情報再生装置および情報再生方法に関するものである。
【背景技術】
【０００２】
近年、マルチメディア技術の発展に伴い、画像、映像、音声等の様々な情報（コンテンツ）を取得して利用することが可能となっている。これらの情報を再生する情報再生装置は、画像のコントラスト、音の周波数等の設定を種々変更して再生させる機能を有している。例えば、テレビによって再生されるテレビ番組に対し、テレビのユーザはユーザの好みに応じて画像のコントラスト等を設定変更し、テレビ番組を視聴している。この画像のコントラストの設定等は、各ユーザがテレビ番組の種類等に応じてテレビ視聴の際に変更していた。すなわち、１台のテレビを複数のユーザが別々に利用する場合、各ユーザがテレビ視聴を行う度毎に各ユーザの好みに応じた設定を行う必要がある。また、１人のユーザのみが、１台のテレビを利用する場合であっても、テレビ番組の種類毎に、その属性に応じてユーザの好みに応じた設定を行う必要がある。
【０００３】
特許文献１に記載の情報処理システムは、調節コマンドを受信した場合に、同コマンドをもとに表示モニタの輝度またはコントラストを制御する第１の制御手段を備えた表示装置と、表示装置に表示情報を送って表示モニタへの表示を行う情報処理機器であって、利用者毎の輝度およびコントラストの画面調節設定情報が登録される登録手段と、同機器全体を制御し、同機器の利用者の識別情報を入力した際には、その識別情報の示す利用者に固有の登録手段内の画面調節設定情報の指定する輝度およびコントラストに調節するための調節コマンド生成して表示装置の第１の制御手段へ送信する第２の制御手段とを備えた情報処理機器とを設け、情報処理機器の第２の制御手段から表示装置の第１の制御手段へ調節コマンドを送信することにより、同コマンドに従って表示モニタの輝度またはコントラストが制御されるようにしている。
【０００４】
特許文献２に記載の自動取引装置は、操作誘導するための案内画面と指示入力するための入力操作画面を利用者の希望する配色で表示可能としている。更にその配色情報を利用者毎に登録可能にし、登録時以降の操作時から該登録情報に従った配色で表示している。登録に際しては案内画面において配色見本を表示して、その中から希望する表示色を選択、かつ、該表示色の微調整を可能としている。
【０００５】
【特許文献１】特開平６−０３５６５９号公報
【特許文献２】特開２００３−０５８９３０号公報
【発明の開示】
【発明が解決しようとする課題】
【０００６】
しかしながら、上記前者および後者の従来技術では、コンテンツ毎にコンテンツに応じた情報の再生をユーザ毎に設定して再生することができないといった問題があった。本発明が解決しようとする課題には、上述した特許文献１の情報処理システムにおいて生じるユーザの好みやコンテンツに応じた情報の再生を行うことができないという問題が一例として挙げられる。また、上述した特許文献２の自動取引装置において生じるユーザの好みやコンテンツに応じた情報の再生を行うことができないという問題が一例として挙げられる。
【課題を解決するための手段】
【０００７】
上述した課題を解決し、目的を達成するために、本発明の請求項１に記載の発明はコンテンツを受信して再生する情報再生装置において、コンテンツの再生を行う再生部と、前記コンテンツの分類に関するコンテンツ分類情報を取得する情報取得部と、前記コンテンツ分類情報に基づいて、コンテンツ毎にコンテンツの音再生および／または映像再生の再生特性パラメータの変更に関する変更設定情報を生成する変更設定情報生成部と、前記変更設定情報に基づいた前記コンテンツ毎の前記再生特性パラメータの変更指示が変更指示情報としてユーザによって入力される指示情報入力部と、前記変更指示情報に基づいて、前記再生部が再生するコンテンツの音再生および／または映像再生の再生特性パラメータの変更を制御する制御部と、を備えることを特徴とする。
【０００８】
また、請求項１０に記載の発明は、コンテンツを受信して再生する情報再生方法において、前記コンテンツの分類に関するコンテンツ分類情報を取得する情報取得ステップと、前記コンテンツ分類情報に基づいて、コンテンツ毎にコンテンツの音再生および／または映像再生の再生特性パラメータの変更に関する変更設定情報を生成する変更設定情報生成ステップと、前記変更設定情報に基づいた前記コンテンツ毎の前記再生特性パラメータの変更指示を変更指示情報としてユーザが入力する指示情報入力ステップと、前記変更指示情報に基づいて、前記コンテンツの音再生および／または映像再生の再生特性パラメータを変更して再生する再生ステップと、を含むことを特徴とする。
【発明を実施するための最良の形態】
【０００９】
以下に、本発明に係る視聴装置（情報再生装置）および情報再生方法の実施の形態を説明する。なお、この実施の形態によりこの発明が限定されるものではない。以下では、本発明の視聴装置および情報再生方法の概略と特徴を実施の形態として説明し、その後に視聴装置および情報再生方法に関する実施例を説明する。
【００１０】
［実施の形態］
本実施の形態において、情報（コンテンツ）を再生する視聴装置は、複数種類のコンテンツの音再生や映像再生の再生特性パラメータを種々変更して再生させる機能を有している。これらの複数種類のコンテンツは、コンテンツ毎に複数種類の音再生や映像再生の再生特性パラメータを有しており、これらの複数種類のコンテンツを再生させる際に、全てのコンテンツに対して音再生や映像再生の再生特性パラメータを同じ設定にすると、コンテンツの視聴者（視聴装置のユーザ）の好みに応じた再生を行うことができない。
【００１１】
これは、コンテンツ毎に種々の再生特性パラメータを有しているとともに、コンテンツの内容、ジャンル等によって再生特性パラメータの強弱をつけて視聴したいコンテンツが視聴者毎に異なるためである。例えば、コンテンツの種類に応じて人の音声を強調したい場合、ＢＧＭ（Back Ground Music）等の背景音を強調したい場合、低音帯域の音声を強調したい場合など、コンテンツの内容によって各視聴者が強弱をつけたい再生特性パラメータが異なる。視聴者が加齢者の場合４０００〜８０００Ｈｚの音声が聞き取りづらくなる。また、視聴者が加齢者の場合映像のコントラストの認識や青色系統の色の認識を行いづらくなる。このため、視聴者が加齢者である場合、視聴者は高音帯域の音声を強調し、コントラスト、青色系統の色を強調してコンテンツ再生させることを好む。
【００１２】
したがって、各視聴者はコンテンツを視聴する都度、コンテンツの種類に応じた自らの身体的特徴を考慮した自らの好みに応じた所定の再生特性パラメータを設定する必要が生じ、コンテンツ再生の設定に手間がかかることとなる。
【００１３】
そこで、本実施の形態においては、コンテンツのジャンル等の分類に応じてコンテンツ毎にコンテンツの音再生や映像再生の再生特性パラメータを変更するための変更設定情報を作成しておき、この変更設定情報に基づいて各視聴者が自らの好みに応じた再生特性パラメータの変更指示を視聴装置に入力する。そして、視聴装置は入力された変更指示に基づいてコンテンツの音再生や映像再生の再生特性パラメータを変更してコンテンツを再生する。例えば、視聴装置は１００〜３２００Ｈｚの人の声の音声信号レベルを、基準となる音声信号レベル（基準音圧レベル）よりも１０ｄＢ大きくしてコンテンツを再生する。
【００１４】
また、視聴装置は視聴者によって入力された変更指示を記憶しておき、以後同じ種類のコンテンツを再生する際には、記憶しておいた変更指示に基づいてコンテンツ再生を行う。また、複数の視聴者によって視聴装置を利用する場合は、視聴者を識別する情報を視聴装置に入力し、視聴者毎の変更指示情報に基づいてコンテンツ再生を行う。
【００１５】
このように、実施の形態においては、視聴装置がコンテンツの分類、各視聴者の好みに応じてコンテンツの音再生や映像再生の再生特性パラメータを変更してコンテンツを再生することができる。したがって、各視聴者はコンテンツの分類毎に簡易な操作で自らの好みに応じたコンテンツを視聴することが可能となる。
【実施例】
【００１６】
図１は、実施例に係る情報再生の概念を説明するための図である。本実施例においては、視聴装置１が複数の視聴者（ユーザ）８Ｘ〜８Ｚによって利用され、視聴装置１が複数のコンテンツ７Ａ〜７Ｃを再生する。
【００１７】
コンテンツ７Ａ〜７Ｃは、音、画像、映像等を含んだ情報であり、例えば放送局から放送されるテレビ番組、ラジオ番組、ＣＤ（Compact Disk）やＤＶＤ（Digital Video Disk）等の記録媒体に記録された音楽、映画等である。
【００１８】
視聴装置１は、テレビ、ラジオ、携帯端末、ＣＤプレーヤ、ＤＶＤプレーヤ等を含んで構成され、種々のコンテンツ７Ａ〜７Ｃを再生する情報の再生装置である。視聴装置１は、テレビ番組やラジオ番組等を受信するアンテナ６、複数の電話等を接続する電話線３、インターネット等の通信網に接続するＬＡＮ（Local Area Network）４、視聴装置１に電源等を供給する電灯線５等を備えており、これらのアンテナ６、電話線３、ＬＡＮ４、電灯線５を介して複数からなる種々のコンテンツ（コンテンツ７Ａ〜７Ｃ）を取得して再生する。なお、視聴装置１がＣＤプレーヤ、ＤＶＤプレーヤ等を備えている場合には、ＣＤやＤＶＤ等の記録媒体に記録されたコンテンツを再生する。
【００１９】
視聴装置ユーザインタフェース２は、視聴装置１がコンテンツ７Ａ〜７Ｃを再生する際の設定を行うためのインタフェースである。視聴装置ユーザインタフェース２は、リモートコントローラ、キーボード、マウス、情報の入力ボタン等を含んで構成されており、これらのリモートコントローラ、キーボード、マウス、情報の入力ボタン等を介して所定の情報を入力することによって視聴装置１によるコンテンツ７Ａ〜７Ｃの再生の設定を行う。視聴装置ユーザインタフェース２は、複数の視聴者８Ｘ〜８Ｚによって使用され、各視聴者８Ｘ〜８Ｚの好みに応じたコンテンツ７Ａ〜７Ｃの再生設定が行われる。
【００２０】
例えば、コンテンツ７Ａがテレビ番組である場合、視聴装置１はアンテナ６を介してコンテンツ７Ａを受信し、コンテンツ７Ａを視聴装置１のテレビモニタによって表示（再生）する。このとき、視聴者８Ｘ〜８Ｚは、視聴装置ユーザインタフェース２を介して自らの好みに応じたコンテンツ再生を行わせるための指示情報を視聴装置１に入力する。
【００２１】
視聴装置１は、視聴者８Ｘ〜８Ｚからの指示情報に基づいて例えばコンテンツ７Ａの再生を行う。例えば、視聴者８Ｘがコンテンツ７Ａを再生する際に高音帯域（領域）の音声の周波数を大きくするよう視聴装置ユーザインタフェース２に指示情報を入力すると、視聴装置１は高音帯域の音声の周波数を大きくしてコンテンツ７Ａを再生する。そして、視聴装置１はコンテンツ再生の履歴（コンテンツを利用した視聴者８Ｘの識別情報、コンテンツの内容やジャンル（分類）に関する情報）を後述する設定履歴情報２００として記憶しておき、以後同一の視聴者（視聴者８Ｘ）が同一分類のコンテンツを利用する際には記憶しておいた設定履歴情報２００に基づいてコンテンツを再生する。
【００２２】
図２は、実施例に係る視聴装置の構成を示すブロック図である。視聴装置１は、受信部１１、解析部１２、音声再生部１３、映像再生部１４、設定制御部（制御部）１５、設定情報記憶部１６、指示入力部（指示情報入力部）１７、設定部１８からなる。
【００２３】
なお、ここでの設定部１８が特許請求の範囲に記載の変更設定情報生成部、記憶部に対応する。また、ここでの解析部１２が特許請求の範囲に記載の情報取得部に対応し、設定制御部１５が特許請求の範囲に記載の制御部に対応し、指示入力部１７が特許請求の範囲に記載の指示情報入力部に対応する。
【００２４】
受信部１１は、図１において説明したアンテナ６、電話線３、ＬＡＮ４、電灯線５等を介してコンテンツやコンテンツの内容に関する情報（後述するＥＰＧ（Electronic Program Guide））を受信する。
【００２５】
解析部１２は、受信部１１が受信したＥＰＧ等に基づいてコンテンツの属するジャンル等の分類、コンテンツ（番組）の内容等を解析し、コンテンツのジャンルとコンテンツ内容の対応付けに関するコンテンツ情報（コンテンツ分類情報）を生成する。
【００２６】
音声再生部１３は、スピーカやヘッドホン等を備えて構成され、受信部１１が受信したコンテンツに含まれる音（音声）を出力（再生）する。映像再生部１４は、テレビモニタ等を備えて構成され、受信部１１が受信したコンテンツに含まれる画像、映像等を出力する。
【００２７】
指示入力部１７には、音声再生部１３、映像再生部１４がコンテンツを出力する際の設定を指示する変更指示情報（以下、設定指示情報という）、視聴者に関する情報（識別情報）が入力される。ここでは、視聴装置ユーザインタフェース２を介して指示入力部１７に設定指示情報が入力される。
【００２８】
設定部１８は、解析部１２によって生成されたコンテンツ情報に基づいて、コンテンツを再生する際の設定に関する情報（各コンテンツを再生する際の映像／音声設定に関する情報）を後述するコンテンツ設定情報（変更設定情報）１００として作成し記憶する。設定部１８は、コンテンツ設定情報１００、指示入力部１７から入力される視聴者の識別情報等に基づいて、コンテンツを再生する際の設定を行う。設定部１８は、コンテンツ設定情報１００や視聴者の識別情報に基づいて設定制御部１５に指示情報を送信し、再生用のコンテンツのサンプル（再生の設定変更が行われたコンテンツ）を音声再生部１３、映像再生部１４に再生させ、視聴者が所望のコンテンツのサンプルを選択させる。
【００２９】
設定情報記憶部１６は、設定部１８によって作成されたコンテンツ設定情報１００やコンテンツ再生の設定履歴に関する情報（後述する設定履歴情報２００）を記憶する。設定制御部１５は、音声再生部１３、映像再生部１４がコンテンツを出力する際の設定を制御する。設定制御部１５は、設定情報記憶部１６が記憶する設定履歴情報２００や設定部１８が記憶するコンテンツ設定情報１００に基づいて音声再生部１３、映像再生部１４を制御する。
【００３０】
なお、視聴装置１がＣＤやＤＶＤ等の記録媒体に記録されたコンテンツを再生する際には、ＣＤやＤＶＤに予めコンテンツ情報を記憶させておき、解析部１２がＣＤやＤＶＤからコンテンツ情報を取得する。
【００３１】
つぎに、コンテンツを再生する際の再生設定の手順について説明する。ここでは、視聴装置１やコンテンツの一例として、視聴装置１がテレビであり、コンテンツがテレビ番組である場合について説明する。また、視聴装置ユーザインタフェース２の一例として、視聴装置ユーザインタフェース２がリモートコントローラである場合について説明する。
【００３２】
図３は、コンテンツ再生の設定手順を示すフローチャートである。ここでは、視聴者８Ｘが視聴装置１を利用する場合について説明する。視聴装置１の受信部１１は、所定のタイミングで放送局等からＥＰＧデータを受信し、受信したＥＰＧデータを解析部１２に送信する。解析部１２は、受信部１１が受信したＥＰＧ等に基づいてコンテンツの属するジャンル、コンテンツの内容等を解析し、コンテンツの内容とジャンルの対応付けに関するコンテンツ情報を生成する。
【００３３】
視聴者８Ｘは、視聴装置ユーザインタフェース２から視聴開始を行うための指示情報（設定指示情報）を入力する。例えば、視聴装置ユーザインタフェース２が備える視聴開始を行うためのキー（視聴開始キー）が視聴者８Ｘによって押下される（ステップＳ１００）。視聴装置ユーザインタフェース２に入力された指示情報は、視聴装置１に送信される。これにより、視聴装置１においてコンテンツの再生を行うことが可能な状態となる。
【００３４】
また、視聴者８Ｘは視聴装置ユーザインタフェース２から視聴者８Ｘを識別するための識別情報を入力する。各視聴者を識別するための識別情報の入力は、ＩＤ番号等の入力であってもよいし、視聴者毎のキーを視聴装置ユーザインタフェース２に設定しておき、各視聴者に割り当てられた所定のキーの押下であってもよい。例えば、視聴装置ユーザインタフェース２が視聴者を識別するためのキーを３つ備えており、この３つのキーをそれぞれの視聴者８Ｘ〜８Ｚの識別情報に１つずつ割り当てておく。そして視聴装置ユーザインタフェース２が備える視聴者８Ｘに対応するキーが押下されることによって、視聴装置ユーザインタフェース２に視聴者８Ｘの識別情報が入力される。
【００３５】
視聴装置ユーザインタフェース２は、視聴者８Ｘの識別情報を視聴装置１に送信する。視聴装置ユーザインタフェース２からの視聴者８Ｘの識別情報は視聴装置１の指示入力部１７によって受信される。
【００３６】
設定部１８は、指示入力部１７が受信した視聴者８Ｘの識別情報、設定情報記憶部１６が記憶する設定履歴情報２００に基づいて、視聴者８Ｘが既に登録されたユーザ（視聴設定登録済みのユーザ）であるか否かを判断する（ステップＳ１１０）。すなわち、設定部１８は視聴装置ユーザインタフェース２に入力されたキーが視聴設定登録済みの視聴者に対応するか否かを判断する。具体的には、設定履歴情報２００に視聴者８Ｘが視聴したコンテンツの履歴に関する情報が含まれているか否かによって、設定部１８は視聴者８Ｘが既に登録されたユーザであるか否かを判断する。
【００３７】
視聴装置ユーザインタフェース２に入力されたキーが視聴設定登録済みのユーザに対応し、設定部１８が視聴者８Ｘは既に登録されたユーザであると判断すると（ステップＳ１１０、Ｙｅｓ）、視聴者８Ｘは視聴したいコンテンツを選択する（ステップＳ１２０）。このとき、設定部１８は例えば設定情報記憶部１６が記憶しているＥＰＧに基づいて、視聴可能なコンテンツの一覧表等を映像再生部１４に表示させる。そして、視聴者８Ｘは、視聴可能なコンテンツの一覧表から視聴したいコンテンツを指定するための情報を視聴装置ユーザインタフェース２に入力する。
【００３８】
ここで、設定情報記憶部１６が記憶しているＥＰＧについて説明する。ＥＰＧは、新聞や雑誌などに掲載されているテレビ番組表（電子番組ガイド）等のデジタルデータである。ＥＰＧは、テレビ番組表を映像再生部１４に画面に表示する際や、テレビ番組の録画予約を行う際に使用されるデータである。
【００３９】
アナログ放送、地上デジタル放送やＢＳ（Broadcasting Satellite）・ＣＳ（communications satellite）デジタル放送では、放送波の中に、ＥＰＧデータ等の番組情報データが含まれている。また、ＥＰＧにはインターネットを介して番組表データを取得するｉＥＰＧがある。例えば、ＥＰＧを地上デジタル放送の放送波に含めて送信する場合、ＥＰＧデータなどの番組情報、コンテンツの映像、コンテンツの音声は、デジタルデータ化されＭＰＥＧ（Motion Picture Expert Group）−ＴＳ（Transport Stream）ストリームとして１つの信号にまとめられる。
【００４０】
図４は、ＭＰＥＧ−ＴＳストリームに含まれるデータ列の一例を示す図である。同図に示すように、ＭＰＥＧ−ＴＳストリームには、例えば１８８ｂｙｔｅからなる複数のＴＳパケットが含まれている。各ＴＳパケットは、ＰＳＩ（Program Specific Information
）、ＥＰＧ、コンテンツのＶｉｄｅｏ（映像）データ、コンテンツのＡｕｄｉｏ（音声）データ等によって構成されている。
【００４１】
ＴＳパケット（ＰＳＩ）はＭＰＥＧ−ＴＳストリームのプログラム仕様に関する情報であり、ＴＳパケット（ＥＰＧ）が番組情報である。ＥＰＧには、番組のチャンネル番号、チャンネル名、番組名、放送日時、番組のジャンル、番組内容等の情報が含まれている。
【００４２】
視聴者８Ｘが、視聴可能なコンテンツの一覧表から視聴したいコンテンツを指定（選択）するための情報を視聴装置ユーザインタフェース２に入力すると、このコンテンツを指定する情報が視聴装置１に送信される。
【００４３】
設定部１８は、設定情報記憶部１６が記憶する設定履歴情報２００に基づいて、視聴者８Ｘが指定したコンテンツのジャンルが以前視聴者８Ｘによって選択されたコンテンツのジャンルに該当するか否かを判断する（ステップＳ１３０）。具体的には、設定部１８が設定履歴情報２００に視聴者８Ｘが指定したコンテンツのジャンルが含まれているか否かを判断する。
【００４４】
設定部１８が、視聴者８Ｘによって指定されたコンテンツのジャンルは以前視聴者８Ｘによって選択されたコンテンツのジャンルに該当すると判断すると（ステップＳ１３０、Ｙｅｓ）、設定部１８は以前視聴者８Ｘによって選択されたジャンルのコンテンツと同様の設定によって、設定制御部１５に今回指定されたコンテンツの再生を行わせる。すなわち、設定部１８が設定制御部１５に以前視聴者８Ｘによって選択されたジャンルのコンテンツと同様の設定によってコンテンツを再生するよう指示情報を送信し、設定制御部１５が以前視聴者８Ｘによって選択されたジャンルのコンテンツと同様の設定によってコンテンツが再生されるよう音声再生部１３、映像再生部１４の設定を制御する。具体的には、設定制御部１５が、音声の周波数や映像のコントラスト等を変更してコンテンツを再生するよう音声再生部１３、映像再生部１４の設定を制御する（ステップＳ１４０）。
【００４５】
一方、視聴装置ユーザインタフェース２に入力されたキーが視聴設定登録されていないユーザに対応し、設定部１８が視聴者８Ｘは登録されていないユーザであると判断すると（ステップＳ１１０、Ｎｏ）、視聴者８Ｘは視聴したいコンテンツを選択する（ステップＳ１５０）。ここでは、設定部１８は例えば設定情報記憶部１６が記憶しているＥＰＧに基づいて、視聴可能なコンテンツの一覧表等を映像再生部１４に表示させる。そして、視聴者８Ｘは、視聴可能なコンテンツの一覧表から視聴したいコンテンツを指定するための情報を視聴装置ユーザインタフェース２に入力する。
【００４６】
また、設定部１８は視聴者８Ｘに対して視聴者の登録を行わせるため、映像再生部１４に視聴者の登録要求を示すメッセージと登録要求を行うための画像等を表示させる。視聴者８Ｘは、映像再生部１４に表示された情報に従って、自らの視聴者情報を視聴装置ユーザインタフェース２に入力する。例えば、視聴装置ユーザインタフェース２が視聴者を識別するためのキーを３つ備えており、この３つのキーをそれぞれの視聴者８Ｘ〜８Ｚの識別情報に１つずつ割り当てられている場合、視聴者８Ｘは視聴者として未登録のキーを押下する。
【００４７】
この視聴者８Ｘによって押下されたキーの情報は、視聴装置ユーザインタフェース２から視聴装置１の指示入力部１７に送信される。指示入力部１７は視聴者８Ｘによって押下されたキーの情報を設定部１８に送信し、設定部１８が視聴者８Ｘの識別情報を取得する（ステップＳ１６０）。すなわち、設定部１８は視聴者８Ｘによって押下されたキーが未登録であるため、視聴者８Ｘが新たな視聴者であることを認識する。
【００４８】
設定部１８は、視聴者８Ｘが新たな視聴者であることを認識した場合（ステップＳ１６０）や、視聴者８Ｘによって指定されたコンテンツのジャンルは以前視聴者８Ｘによって選択されたコンテンツのジャンルに該当しないと判断した場合（ステップＳ１３０、Ｎｏ）、視聴者８Ｘによって指定されたコンテンツに応じた映像／音声の設定動作を行う（ステップＳ１７０）。ここでの設定部１８は、視聴者８Ｘが指定したコンテンツのジャンルに応じて音声再生部１３、映像再生部１４を制御し、コンテンツのサンプルを再生させる。すなわち、設定部１８は視聴者８Ｘが指定したコンテンツに対応するコンテンツのジャンルをコンテンツ情報に基づいて抽出し、このコンテンツのジャンルに応じたコンテンツ再生の設定を行う。具体的には、設定制御部１５が、音声の周波数や映像のコントラスト等を変更してコンテンツを再生するよう音声再生部１３、映像再生部１４の設定を制御する。
【００４９】
設定部１８は、解析部１２が生成したコンテンツ情報に基づいて、コンテンツ毎の映像／音声設定に関するコンテンツ設定情報１００を作成するとともに、視聴者８Ｘによって指定されたコンテンツに応じた映像／音声の設定動作を行う。
【００５０】
ここで、コンテンツ設定情報１００の構成について説明する。従来の視聴装置においては、視聴者の音声等の認識力に関わらず、聞き取りたい周波数の音が視聴者にとって聞きやすくなるまで全ての周波数帯域の音声信号レベルを一律に大きくしていた。例えば、ナレーションや台詞が視聴者によって聞き取れるようになるまで音量を大きくすると、ＢＧＭや背景音の音量も同じだけ大きくなる。そこで、本実施例においては、ナレーション、台詞、歌唱等の所定の音の種類を選択して強調し、ＢＧＭや背景音等の所定の音に対しては音量を維持または弱めるよう制御する。
【００５１】
図５−１は音声設定を行うためのコンテンツ設定情報の構成の一例を示す図であり、図５−２は映像設定を行うためのコンテンツ設定情報の構成の一例を示す図である。図５−１および図５−２に示すように、音声設定を行うためのコンテンツ設定情報１００は、コンテンツのジャンル分類に関する情報、番組内容（コンテンツ内容）に関する情報、音声設定に関する情報からなる。
【００５２】
コンテンツのジャンル分類は、コンテンツのジャンルを分類する情報であって、競馬や公営競技等の「スポーツ」、芸能情報等の「情報／ワイドショー」、国内ドラマや海外ドラマ等の「ドラマ」、歌謡曲や演歌等の「音楽」、落語や演芸等の「劇場／公演」、国内映画や海外映画等の「映画」等に分類される。
【００５３】
番組内容は、コンテンツのジャンル分類が「スポーツ」の場合「中央競馬」等があり、
「情報／ワイドショー」の場合「昼のワイドショー」等があり、「ドラマ」の場合「アクションドラマ」等があり、「音楽」の場合「ソロ／グループ単独歌唱」等があり、「劇場／公演」の場合「落語」等があり、「映画」の場合「ＳＦＸ（Special effects）」等がある。
【００５４】
図５−１に示すように、音声設定を行うためのコンテンツ設定情報１００は、例えば、コンテンツが「中央競馬」等の「スポーツ」の場合、１００〜３２００Ｈｚの音の周波数に対して人の声の基準音圧レベルを０〜１０ｄＢの範囲で大きくするよう変更することを示す。また、コンテンツが「中央競馬」等の「スポーツ」の場合、３２００〜８０００Ｈｚの音の周波数に対してＢＧＭ／背景音の基準音圧レベルを０〜５ｄＢの範囲で小さくするよう変更することを示す。
【００５５】
また、コンテンツが「昼のワイドショー」等の「情報／ワイドショー」の場合、１００〜３２００Ｈｚの音の周波数に対して人の声の基準音圧レベルを０〜１０ｄＢの範囲で大きくするよう変更することを示す。
【００５６】
また、コンテンツが「アクションドラマ」等の「ドラマ」の場合、１００〜３２００Ｈｚの音の周波数に対して人の声の基準音圧レベルを０〜１０ｄＢの範囲で大きくするよう変更し、３２００〜８０００Ｈｚの音の周波数に対してＢＧＭ／背景音の基準音圧レベルを０〜５ｄＢの範囲で小さくするよう変更することを示す。
【００５７】
また、コンテンツが「ソロ／グループ単独歌唱」等の「音楽」の場合、１００〜３２００Ｈｚの音の周波数に対して人の声の基準音圧レベルを０〜１０ｄＢの範囲で大きくするよう変更し、３２００〜８０００Ｈｚの音の周波数に対して人の声の基準音圧レベルを０〜１０ｄＢの範囲で小さくするよう変更し、８０００Ｈｚ以上の音の周波数に対して人の声の基準音圧レベルを０〜１０ｄＢの範囲で小さくするよう変更することを示す。
【００５８】
また、コンテンツが「落語」等の「劇場／公演」の場合、１００〜３２００Ｈｚの音の周波数に対して人の声の基準音圧レベルを０〜１０ｄＢの範囲で大きくするよう変更することを示す。
【００５９】
また、コンテンツが「ＳＦＸ」等の「映画」の場合、１００〜３２００Ｈｚの音の周波数に対して人の声の基準音圧レベルを０〜１０ｄＢの範囲で大きくするよう変更し、３２００〜８０００Ｈｚの音の周波数に対してＢＧＭ／背景音の基準音圧レベルを０〜５ｄＢの範囲で小さくするよう変更し、８０００Ｈｚ以上の音の周波数に対してＢＧＭ／背景音の基準音圧レベルを０〜５ｄＢの範囲で小さくするよう変更することを示す。なお、ここでは１００Ｈｚ未満の音の周波数に対しては人の声の基準音圧レベルとＢＧＭ／背景音の基準音圧レベルを変更しない場合を示している。
【００６０】
図５−２に示すように、映像設定を行うためのコンテンツ設定情報１００は、全てのコンテンツに対して映像（画像）の基準コントラスト、基準となる黄色〜青色の出力レベル（基準出力レベル）を０〜１０ｄＢの範囲で大きくするよう変更することを示す。
【００６１】
なお、ここでの基準音圧レベルは例えば平均的な聴力を有する２５歳の視聴者を基準として予め所定の基準音圧レベルを設定しておく。また、ここでの基準コントラスト、基準となる黄色〜青色は例えば平均的な視力等を有する２５歳の視聴者を基準として予め基準コントラスト、基準となる黄色〜青色を設定しておく。
【００６２】
設定部１８は、コンテンツ設定情報１００に基づいて、コンテンツに応じた映像／音声の設定動作を行う。このとき、設定部１８は例えば後述する対話型のコンテンツ再生の設定動作等によってコンテンツに応じた映像／音声の設定動作を行う。
【００６３】
設定部１８は、コンテンツ設定情報１００に示される音圧レベルの変更条件に基づいてコンテンツ再生の設定を行う。例えば、コンテンツ設定情報１００において音の周波数が０〜１０ｄＢの範囲で大きくするよう変更することが示されている場合、設定部１８は音の周波数を０〜１０ｄＢの範囲内で複数段階変化（例えば２ｄＢ毎に大きくする）させたコンテンツ再生の設定条件を視聴者８Ｘに提示する。
【００６４】
設定部１８は、例えばコンテンツが「中央競馬」等の「スポーツ」の場合、１００〜３２００Ｈｚの音の周波数に対して人の声の音圧レベルを変更しない場合のコンテンツ再生、２ｄＢ大きくした場合のコンテンツ再生、４ｄＢ大きくした場合のコンテンツ再生、６ｄＢ大きくした場合のコンテンツ再生、８ｄＢ大きくした場合のコンテンツ再生、１０ｄＢ大きくした場合のコンテンツ再生を順番に行う。そして、設定部１８はこれらのコンテンツ再生の中から視聴者８Ｘに自らの好みに対応するコンテンツ再生を選択させる。視聴者８Ｘは、視聴装置ユーザインタフェース２から所定の情報（設定指示情報）を送信することによって、所望のコンテンツ再生設定を選択する。
【００６５】
設定部１８は、視聴者８Ｘによって選択されたコンテンツ再生を行うための音声再生部１３、映像再生部１４の制御設定（映像／音声特性の設定）に関する情報を設定履歴情報２００として作成する。この設定履歴情報２００は、設定情報記憶部１６によって記憶される（ステップＳ１８０）。
【００６６】
ここで、設定履歴情報２００の構成について説明する。図６−１〜図６−４は、設定履歴情報の構成を示す図である。ここでは、中年齢層（例えば３０歳）の視聴者の設定履歴情報２００の一例と高年齢層（例えば６０歳）の視聴者の設定履歴情報の一例について説明する。
【００６７】
図６−１は、中年齢層の視聴者による音声設定の設定履歴情報の一例を示す図であり、図６−２は、高年齢層の視聴者による音声設定の設定履歴情報の一例を示す図である。また、図６−３は、中年齢層の視聴者による映像設定の設定履歴情報の一例を示す図であり、図６−４は、高年齢層の視聴者による映像設定の設定履歴情報の一例を示す図である。
【００６８】
図６−１に示す設定履歴情報２００は、中年齢層の視聴者が「中央競馬」等の「スポーツ」において、１００〜３２００Ｈｚの音の周波数に対して人の声の基準音圧レベルを２ｄＢ大きくするよう変更した条件を選択してコンテンツ再生を行ったことを示している。
【００６９】
また、図６−１に示す設定履歴情報２００は中年齢層の視聴者が「昼のワイドショー」等の「情報／ワイドショー」、「アクションドラマ」等の「ドラマ」、「落語」等の「劇場／公演」、「ＳＦＸ」等の「映画」において、１００〜３２００Ｈｚの音の周波数に対して人の声の基準音圧レベルを２ｄＢ大きくするよう変更した条件を選択してコンテンツ再生を行ったことを示している。
【００７０】
また、図６−１に示す設定履歴情報２００は中年齢層の視聴者が「ソロ／グループ単独歌唱」等の「音楽」において、１００〜３２００Ｈｚの音の周波数に対して人の声の基準音圧レベルを２ｄＢ大きくするよう変更し、３２００〜８０００Ｈｚの音の周波数に対して人の声の基準音圧レベルを２ｄＢ大きくするよう変更し、８０００Ｈｚ以上の音の周波数に対して人の声の基準音圧レベルを４ｄＢ大きくするよう変更した条件を選択してコンテンツ再生を行ったことを示している。
【００７１】
図６−２に示す設定履歴情報２００は、高年齢層の視聴者が「中央競馬」等の「スポーツ」において、１００〜３２００Ｈｚの音の周波数に対して人の声の基準音圧レベルを１０ｄＢ大きくするよう変更し、３２００〜８０００Ｈｚの音の周波数に対して人の声の基準音圧レベルを５ｄＢ小さくするよう変更し、８０００Ｈｚ以上の音の周波数に対して人の声の基準音圧レベルを５ｄＢ小さくするよう変更した条件を選択してコンテンツ再生を行ったことを示している。
【００７２】
また、図６−２に示す設定履歴情報２００は高年齢層の視聴者が「昼のワイドショー」等の「情報／ワイドショー」、「落語」等の「劇場／公演」において、１００〜３２００Ｈｚの音の周波数に対して人の声の基準音圧レベルを１０ｄＢ大きくするよう変更した条件を選択してコンテンツ再生を行ったことを示している。
【００７３】
また、図６−２に示す設定履歴情報２００は高年齢層の視聴者が「アクションドラマ」等の「ドラマ」、「ＳＦＸ」等の「映画」において、１００〜３２００Ｈｚの音の周波数に対して人の声の基準音圧レベルを１０ｄＢ大きくするよう変更し、３２００〜８０００Ｈｚの音の周波数に対して人の声の基準音圧レベルを５ｄＢ小さくするよう変更し、８０００Ｈｚの音の周波数に対して人の声の基準音圧レベルを５ｄＢ小さくするよう変更した条件を選択してコンテンツ再生を行ったことを示している。
【００７４】
また、図６−２に示す設定履歴情報２００は高年齢層の視聴者が「ソロ／グループ単独歌唱」等の「音楽」において、１００〜３２００Ｈｚの音の周波数、３２００〜８０００Ｈｚの音の周波数、８０００Ｈｚ以上の音の周波数のそれぞれに対して人の声の基準音圧レベルを１０ｄＢ大きくするよう変更した条件を選択してコンテンツ再生を行ったことを示している。
【００７５】
図６−３に示す設定履歴情報２００は、中年齢層の視聴者が「ＳＦＸ」等の「映画」において、映像のコントラストの基準出力レベルを３ｄＢ小さくするよう変更した条件を選択してコンテンツ再生を行ったことを示している。
【００７６】
図６−４に示す設定履歴情報２００は、高中年齢層の視聴者が「中央競馬」等の「スポーツ」、「昼のワイドショー」等の「情報／ワイドショー」、「アクションドラマ」等の「ドラマ」、「落語」等の「劇場／公演」において、映像のコントラストおよび黄色〜青色の映像の基準出力レベルをそれぞれ３ｄＢ小さくするよう変更し、「ＳＦＸ」等の「映画」において映像のコントラストの基準出力レベルを３ｄＢ小さくするよう変更した条件を選択してコンテンツ再生を行ったことを示している。
【００７７】
設定部１８は、視聴者８Ｘが未登録のユーザである場合、視聴者８Ｘによって押下された新たなキーと視聴者８Ｘの識別情報を対応付けるとともに、この対応付けに関する情報を記憶する（ステップＳ１９０）。これにより、以後、視聴者８Ｘの識別情報に対応付けられた視聴装置ユーザインタフェース２が備えるキーが押下されると視聴装置１は視聴者８Ｘを認識することが可能となる。
【００７８】
ステップＳ１４０の処理またはステップＳ１９０の処理の後、視聴装置１は設定制御部１５からの設定指示に基づいてコンテンツの再生を行う。すなわち、設定制御部１５は
以前視聴者８Ｘによって選択されたジャンルのコンテンツと同様の設定履歴情報２００に基づく設定、または視聴者８Ｘによって新たに指定されて新たに設定履歴情報２００として記憶された設定履歴情報２００に基づく設定によってコンテンツの再生を行う（ステップＳ２００）。
【００７９】
設定制御部１５は、音声特性を変更してコンテンツ再生を行う場合、図示しない音の分別機能等によって音の帯域や波長に基づいて人の声とＢＧＭ／背景音を分離する。そして、設定制御部１５は音声再生部１３にコンテンツを再生させる際、分離させた人の声とＢＧＭ／背景音の音圧レベルを必要に応じて変更させる。
【００８０】
つぎに、コンテンツの再生設定の一例である対話型のコンテンツ再生の設定手順について説明する。図７は、対話型のコンテンツ再生の設定手順を示すフローチャートである。コンテンツのジャンルや視聴者毎の設定履歴情報２００に基づいた映像／音声特性の設定を開始すると、音声再生部１３、映像再生部１４は視聴者毎に現在設定されている映像／音声特性の設定に基づいたコンテンツの再生を行う（ステップＳ３１０）。設定部１８は、現在再生中のコンテンツの映像特性の設定を選択するか否か（変更するか）を確認するためのメッセージ等を映像再生部１４に表示させる（ステップＳ３２０）。
【００８１】
視聴者８Ｘは、映像再生部１４によって再生されるコンテンツの映像特性の設定を変更するか否かを選択する（ステップＳ３３０）。具体的には、視聴者８Ｘが視聴装置ユーザインタフェース２に現在再生中のコンテンツの映像特性の設定を選択する指示情報（変更指示情報）又は設定を変更する指示情報（設定変更指示情報）を入力する。そして、視聴装置ユーザインタフェース２が入力された指示情報を視聴装置１の設定部１８に送信する。
【００８２】
視聴者８Ｘによって、コンテンツの映像特性の設定を変更することが選択された場合（ステップＳ３３０、Ｎｏ）、視聴装置１はコンテンツの映像特性の設定を変更して映像／音声の再生を行う（ステップＳ３４０）。このとき、設定部１８は視聴者８Ｘが指定したコンテンツのジャンル、コンテンツ設定情報１００、設定履歴情報２００に基づいて映像特性の設定を変更するよう映像再生部１４を制御し、コンテンツのサンプルを再生させる。
【００８３】
設定部１８は、現在再生中コンテンツのサンプルの映像特性の設定を選択するか否かを確認するためのメッセージ等を映像再生部１４に表示させる（ステップＳ３２０）。視聴者８Ｘは、映像再生部１４によって再生されるコンテンツの映像特性の設定を変更するか否かを選択する（ステップＳ３３０）。視聴者８Ｘによって、現在再生中のコンテンツ（サンプル）の映像特性の設定が選択された場合（ステップＳ３３０、Ｙｅｓ）、視聴装置１はコンテンツの音声特性の設定処理を行う。
【００８４】
ここでのステップＳ３４０およびステップＳ３２０の処理は、ステップＳ３３０の処理において、視聴者８Ｘが現在再生中のコンテンツの映像特性の設定を選択するまで繰り返し行われる。このとき、視聴装置１はコンテンツの映像特性の設定を順番に変更してコンテンツのサンプルの再生を行う。例えば、コンテンツ設定情報１００においてコントラストの基準出力レベルを０〜１０ｄＢの範囲で大きくするよう変更することが示されている場合、設定部１８はコントラストの基準出力レベルを０〜１０ｄＢの範囲内で複数段階変化させたコンテンツ再生の設定条件でコンテンツのサンプル再生を行っていく。視聴者によってコンテンツの所定のサンプル再生が選択されるまで、例えばコントラストの基準出力レベルを２ｄＢずつ大きく変更してコンテンツのサンプルの再生を行う。
【００８５】
設定部１８は、現在再生中コンテンツのサンプルの音声特性の設定を選択するか否かを確認するためのメッセージ等を映像再生部１４に表示させる（ステップＳ３５０）。視聴者８Ｘは、音声再生部１３によって再生されるコンテンツの音声特性の設定を変更するか否かを選択する（ステップＳ３６０）。具体的には、視聴者８Ｘが視聴装置ユーザインタフェース２に現在再生中のコンテンツの音声特性の設定を選択するか又は設定を変更するかの指示情報を入力する。そして、視聴装置ユーザインタフェース２が入力された指示情報を視聴装置１の設定部１８に送信する。
【００８６】
視聴者８Ｘによって、コンテンツの音声特性の設定を変更することが選択された場合（ステップＳ３６０、Ｎｏ）、視聴装置１はコンテンツの音声特性の設定を変更して映像／音声の再生を行う（ステップＳ３７０）。このとき、設定部１８は視聴者８Ｘが指定したコンテンツのジャンル、コンテンツ設定情報１００、設定履歴情報２００に基づいて音声特性の設定を変更するよう音声再生部１３を制御し、コンテンツのサンプルを再生させる。
【００８７】
設定部１８は、現在再生中コンテンツのサンプルの音声特性の設定を選択するか否かを確認するためのメッセージ等を映像再生部１４に表示させる（ステップＳ３５０）。視聴者８Ｘは、音声再生部１３によって再生されるコンテンツの音声特性の設定を変更するか否かを選択する（ステップＳ３６０）。視聴者８Ｘによって、現在再生中のコンテンツ（サンプル）の音声特性の設定が選択されると（ステップＳ３６０、Ｙｅｓ）、コンテンツのジャンルや視聴者毎の設定履歴情報２００に基づいた映像／音声特性の設定を終了する。
【００８８】
ここでのステップＳ３７０およびステップＳ３５０の処理は、ステップＳ３４０の処理において、視聴者８Ｘが現在再生中のコンテンツの音声特性の設定を選択するまで繰り返し行われる。このとき、視聴装置１はコンテンツの音声特性の設定を順番に変更してコンテンツのサンプルの再生を行う。例えば、コンテンツ設定情報１００において音の周波数の基準音圧レベルを０〜１０ｄＢの範囲で大きくするよう変更することが示されている場合、設定部１８は音の周波数の基準音圧レベルを０〜１０ｄＢの範囲内で複数段階変化させたコンテンツ再生の設定条件でコンテンツのサンプル再生を行っていく。視聴者によってコンテンツの所定のサンプル再生が選択されるまで、例えば、人の声の周波数の基準音圧レベルを２ｄＢずつ大きく変更してコンテンツのサンプルの再生を行う。
【００８９】
なお、本実施例においては、コンテンツのジャンル分類が「スポーツ」、「情報／ワイドショー」、「ドラマ」、「音楽」、「劇場／公演」、「映画」に分類した場合について説明したが、コンテンツのジャンル分類はこれらに限られずこれら以外の分類を加えてもよいし、これらの分類から不要な分類を除外してもよい。
【００９０】
なお、本実施例においては、コンテンツのジャンル分類に応じてコンテンツ再生の設定を行うこととしたが、コンテンツのジャンル分類に限られず番組内容等のジャンル分類とは異なる分類に応じてコンテンツ再生の設定を行うこととしてもよい。
【００９１】
なお、本実施例においては、全ての視聴者に対して同一のコンテンツのジャンル分類でコンテンツ再生の設定を行うこととしたが、視聴者毎にコンテンツのジャンル分類を設定し、視聴者毎のコンテンツのジャンル分類でコンテンツ再生の設定を行うこととしてもよい。
【００９２】
なお、本実施例においては、図５−１に示すコンテンツ設定情報１００において、音の周波数を１００Ｈｚ以下、１００〜３２００Ｈｚ、３２００〜８０００Ｈｚ、８０００Ｈｚ以上の範囲毎に区切り、この範囲毎に基準音圧レベルを変更することとしたが、音の周波数の区切りはこれらに限られるものではなく、他の範囲毎に区切ることとしてもよい。
【００９３】
また、本実施例においては、図５−１に示すコンテンツ設定情報１００において、基準音圧レベルを変更しない場合、０〜１０ｄＢの範囲で大きくする場合、０〜５ｄＢの範囲で小さくする場合を一例として説明したが、基準音圧レベルの変更はこれらに限られるものではなく、他の範囲で基準音圧レベルを変更することとしてもよい。また、基準音圧レベルを変更する際は、１ｄＢ毎、２ｄＢ毎等、何れの間隔毎に基準音圧レベルを上下させてもよい。
【００９４】
また、本実施例においては、図５−１に示すコンテンツ設定情報１００において、人の声、ＢＧＭ／背景音の基準音圧レベルを変更することとしたが、基準音圧レベルの変更はこれらに限られず、所定の楽器等の基準音圧レベルを変更することとしてもよい。
【００９５】
なお、本実施例においては、図５−２に示すコンテンツ設定情報１００において、映像のコントラスト、黄色〜青色の基準出力レベルを変更することとしたが、基準出力レベルの変更はこれらに限られず例えば赤色〜黄色の基準出力レベルを変更することとしてもよい。
【００９６】
なお、本実施例においては、視聴者毎にコンテンツ再生の設定を行うこととしたが、複数人の視聴者によってコンテンツを視聴する際には、視聴者毎の設定履歴情報２００に基づいて、所定の比率で基準音圧レベル、コントラスト等を変更してもよい。例えば、視聴者８Ｘ〜８Ｚの設定履歴情報２００内の所定のコンテンツ分類の音声周波数の平均値に基づいて基準音圧レベルを変更する。
【００９７】
なお、本実施例においては、視聴装置ユーザインタフェース２によって指示入力部１７にコンテンツを出力する際の設定を指示する設定指示情報を入力することとしたが、視聴者の目の動きを検出することによって指示入力部１７にコンテンツを出力する際の設定指示情報を入力することとしてもよい。この場合、視聴者の目の動きを検出するセンサーを備えたヘッドマウントを視聴者に装着させ、このヘッドマウントから指示入力部１７にコンテンツを出力する際の設定指示情報を入力する。
【００９８】
このように実施例によれば、視聴装置１がコンテンツの分類、各視聴者の好みに応じてコンテンツの音再生や映像再生の再生特性パラメータを変更してコンテンツを再生することができる。したがって、各視聴者はコンテンツの分類毎に簡易な操作で自らの好みに応じたコンテンツを視聴することが可能となる。
【００９９】
また、設定部１８によって作成されたコンテンツ設定情報１００やコンテンツ再生の設定履歴に関する情報を設定履歴情報２００として記憶しておくので、同じコンテンツ分類を有するコンテンツは新たに再生設定を行う必要がなく、設定履歴情報２００に基づいてコンテンツ再生を行うことが可能となる。これにより、視聴者がコンテンツを視聴する際のコンテンツの再生設定の手間を簡略化することが可能となる。
【０１００】
また、指示入力部１７に視聴者を識別する識別情報を入力するので、視聴者の識別情報に基づいて視聴者毎に設定履歴情報２００を記憶することが可能となる。したがって、視聴者毎に設定履歴情報２００に基づいたコンテンツ再生を行うことが可能となる。
【０１０１】
また、複数人の視聴者によってコンテンツを視聴する場合であっても、複数種類からなる音声を音声の種類毎に分離し、分離した音声の種類毎に基準音圧レベル（音声信号レベル）を変更させるので、全ての種類の音の基準音圧レベルを変更する必要がなく音が大きすぎる又は小さすぎることによる不快感を低減させることが可能となる。
【０１０２】
また、複数人の視聴者によってコンテンツを視聴する場合であっても、音声を複数の周波数帯域に分離し、分離した音声の周波数帯域毎に基準音圧レベルを変更させるので、全ての種類の音の基準音圧レベルを変更する必要がなく音が大きすぎる又は小さすぎることによる不快感を低減させることが可能となる。
【０１０３】
また、複数人の視聴者によってコンテンツを視聴する場合であっても、映像のコントラストまたは映像の色等の要素毎に映像の基準出力レベルを変更させるので、全ての映像特性の要素（基準出力レベル）を変更する必要がなく映像の強弱による不快感を低減させることが可能となる。
【０１０４】
また、ＥＰＧに基づいてコンテンツ設定情報１００を生成するので、コンテンツ設定情報１００の取得を容易に行うことが可能となる。
【０１０５】
また、視聴装置１がコンテンツ設定情報１００等に基づいたコンテンツ再生を行いながら、視聴装置１と視聴者との対話形式で視聴者がコンテンツの再生設定を行うので、視聴者は自らの好みに応じたコンテンツの再生設定を容易に行うことが可能となる。
【図面の簡単な説明】
【０１０６】
【図１】実施例に係る情報再生の概念を説明するための図である。
【図２】実施例に係る視聴装置の構成を示すブロック図である。
【図３】コンテンツ再生の設定手順を示すフローチャートである。
【図４】ＭＰＥＧ−ＴＳストリームに含まれるデータ列の一例を示す図である。
【図５−１】音声設定を行うためのコンテンツ設定情報の構成の一例を示す図である。
【図５−２】映像設定を行うためのコンテンツ設定情報の構成の一例を示す図である。
【図６−１】設定履歴情報の構成を示す図（１）である。
【図６−２】設定履歴情報の構成を示す図（２）である。
【図６−３】設定履歴情報の構成を示す図（３）である。
【図６−４】設定履歴情報の構成を示す図（４）である。
【図７】対話型のコンテンツ再生の設定手順を示すフローチャートである。
【符号の説明】
【０１０７】
１  視聴装置
２  視聴装置ユーザインタフェース
３  電話線
４  ＬＡＮ
５  電灯線
６  アンテナ
７Ａ〜７Ｃ  コンテンツ
８Ｘ〜８Ｚ  視聴者
１１  受信部
１２  解析部
１３  音声再生部
１４  映像再生部
１５  設定制御部
１６  設定情報記憶部
１７  指示入力部
１８  設定部
１００  コンテンツ設定情報
２００  設定履歴情報
【図１】
2006186920.tif 000003
【図２】
2006186920.tif 000004
【図３】
2006186920.tif 000005
【図４】
2006186920.tif 000006
【図５−１】
2006186920.tif 000007
【図５−２】
2006186920.tif 000008
【図６−１】
2006186920.tif 000009
【図６−２】
2006186920.tif 000010
【図６−３】
2006186920.tif 000011
【図６−４】
2006186920.tif 000012
【図７】
2006186920.tif 000013